(57)【特許請求の範囲】
【請求項１】
軸体の上部に透明軸部を介して鏡体収容部が設けられ、該鏡体収納部の後端部には覗き穴が形成されると共に、該覗き穴の内側に拡大レンズと鏡面を内側に向けて三角形状に配置された三角鏡体とが設けられ、且つ前記透明軸部の軸方向に対して垂直に形成された貫通孔に透明筒体が装着されると共に、該透明筒体の内部に充填された透明液体に多数の彩色片が収容され、さらに前記透明軸部の下方内部に半透明材を介して前記透明筒体に向けて照明する発光体が設けられた万華鏡において、前記透明軸部には軸方向に対して垂直に貫通孔が形成され、該貫通孔に透明筒体が装着され、該透明筒体を貫通孔内で回動したり、貫通孔から抜き出したり、交換することが可能とされ、該貫通孔に挿入した透明筒体の両側にゴム製リング部材を嵌合することにより、該透明筒体が容易に抜け出ない構成とし、この状態で該透明筒体が貫通孔内で回動自在となることを特徴とする万華鏡。
【発明の詳細な説明】
【技術分野】
【０００１】
本発明は、細径の軸体に構成した万華鏡の色彩模様を発光体による照明を通して見ることにより、より綺麗で幻想的な色彩模様を見ることができるようにした万華鏡に関する。
【背景技術】
【０００２】
従来から知られている万華鏡には種々のタイプのものがあるが、近年になって、発光ダイオード等の発光体を利用した万華鏡が開発されている。
【０００３】
その例として、特許文献１の万華鏡は、図６に示すように、筐体３１の内部に三角形状に組まれたミラー３２の内部の一端に複数の発光ダイオード３３が配置され、これらの発光ダイオード３３の点灯や輝度等を制御回路３４で制御することによって発光色に変化を与え、それを覗き穴３５から見るようにしたものである。
【０００４】
従って、特許文献１の万華鏡は、発光ダイオードの発光を制御することによって光の色彩模様を表現するように構成したものである。このため、発光ダイオードによる模様がパターン化して繰り返されるおそれがあり、従来から知られている万華鏡特有の複雑で幻想的な美しさを表現するのは困難である。また、覗き穴から複数の発光ダイオードの発光を覗き見ることによって、目を傷めるという危険性を有するものであった。
【０００５】
さらに、特許文献２の万華鏡は、図７(ａ)、(ｂ)に示すように、透明の円筒形の外筒４０内に長方形の鏡４１を三角形の筒状に組み合わせた鏡筒４２が設けられ、この外筒４０の後面壁４３には覗き穴４４が形成され、外筒４０の先端には透明の外周を有して内部にオイルを充填した筒状のオブジェクトケース４５が設けられたものである。また、オブジェクトケース４５の端部の内側面には反射面４６が形成され、さらに外筒４０内には鏡筒４２の各鏡面４１に沿って発光ダイオード４７が設けられ、外筒４０の後面壁４３に設けられたスイッチ４８によって各発光ダイオード４７を発光し、覗き穴４４からオブジェクトケース４５内のオブジェクト４９を見るようにしたものである。
【０００６】
ところが、このような特許文献２の万華鏡において、オブジェクトケース４５は外筒４０に固定された状態であるため、オブジェクトケース４５内のオブジェクト４９の動きは変化に乏しいものである。
【０００７】
また、外筒４０内の鏡筒４２の各鏡面４１の外側に発光ダイオード４７が設けられた構成であるため、その外筒４０を細径の軸体とするのは困難である。従って、特許文献２の構成では、例えば筆記具のような細径の軸体に組み込んで、万華鏡としての美しさを十分に発揮できる構成にすることは困難である。
【０００８】
さらに、特許文献２の構成においては、発光ダイオード４７の光はオブジェクトケース４５の端部に設けられた反射面４６に当たって反射するもので、この反射光を覗き穴４４から直接見ることになるため、上記の文献の万華鏡と同様に、見る者の目を傷めるおそれがあった。
【特許文献１】特開２００１−２１５４４２号公報（図１参照）
【特許文献２】特開２００４−１５１６１３号公報（図２、図３参照）
【発明の開示】
【発明が解決しようとする課題】
【０００９】
本発明は、上記の事情に鑑みてなされたもので、発光体による照明を用いることによって万華鏡としての美しさを向上し、しかも見る者の目を傷つけることがなく、携帯に便利な細径の軸体に組み込むことが可能な構造を有する万華鏡を提供することを目的とする。
【課題を解決するための手段】
【００１０】
上記の目的を達成するために、本発明の請求項１の万華鏡は、軸体の上部に透明軸部を介して鏡体収容部が設けられ、該鏡体収納部の後端部には覗き穴が形成されると共に、該覗き穴の内側に拡大レンズと鏡面を内側に向けて三角形状に配置された三角鏡体とが設けられ、且つ前記透明軸部の軸方向に対して垂直に形成された貫通孔に透明筒体が装着されると共に、該透明筒体の内部に充填された透明液体に多数の彩色片が収容され、さらに前記透明軸部の下方内部に半透明材を介して前記透明筒体に向けて照明する発光体が設けられた万華鏡において、前記透明軸部には軸方向に対して垂直に貫通孔が形成され、該貫通孔に透明筒体が装着され、該透明筒体を貫通孔内で回動したり、貫通孔から抜き出したり、交換することが可能とされ、該貫通孔に挿入した透明筒体の両側にゴム製リング部材を嵌合することにより、該透明筒体が容易に抜け出ない構成とし、この状態で該透明筒体が貫通孔内で回動自在となることを特徴とする。
【発明の効果】
【００１６】
本発明の万華鏡は、上記のように構成されているため、棒状のような軸体に、透明液体の中で彩色片が移動すると共に、強制発光によって彩色片の動きを照明する構造の万華鏡を組み込んで、本格的な万華鏡としての視覚を楽しませることが可能となる。従って、例えば、ボールペン等を有する軸体に組み込むことによって、発光体による強制発光を有する本格的な万華鏡を備えた筆記具として使用することも可能である。
【００１７】
また、本発明の万華鏡は、発光体からの照明が行われない状態であっても、外方から見て、透明筒体の内部の彩色片の動きを視覚的に楽しむことができる。また、鏡体収納部の後端部の覗き穴から内部を覗き見ると、透明軸部及び透明筒体を経て採光された自然光を通して、透明筒体内の透明液体の中でゆっくり移動する多数の彩色片の色彩模様を見ることとなり、さらに鏡体収納部の三角鏡体の反射作用及び拡大レンズの拡大作用によってモザイク模様のように変化する万華鏡を楽しむことができる。
【００１８】
さらに、本発明の万華鏡は、発光体の強制発光によって透明筒体の内部の透明液体や多数の彩色片を照らすことによって、透明筒体の外方から、その内部の彩色片の動きを見て楽しむことができ、さらに、鏡体収納部の後端部の覗き穴から拡大レンズを介してモザイク模様のように変化する多数の彩色片の動きを照射された状態で見ることができ、上記のように照明されていない状態よりも、さらに綺麗で幻想的な視覚を得て楽しむことが可能となる。
【００１９】
さらに、上記の本発明においては、透明軸部の下方内部に半透明材を介して透明筒体に向けて照明する発光体が設けられているため、発光部からの照度が緩和された状態の光を鏡体収納部の後端部の覗き穴から見ることとなり、本発明のように強制発光を有する構造であっても、目に優しい万華鏡として、目を傷めることなく使用することが可能となる。
【００２０】
また、本発明によれば、上記のように外観的にも見映えのするボールペン等の筆記具として構成することができ、この筆記具で筆記を行っているとき、発光体の強制発光によって透明筒体の内部の透明液体や多数の彩色片を照らして外観的に視覚を和ませることも可能である。
【発明を実施するための最良の形態】
【００２１】
以下、本発明の実施例について図面を参照しながら説明する。
【実施例１】
【００２２】
本発明による万華鏡１は、図１又は図２に示すように、軸体２の上部に透明軸部３を介して鏡体収容部４が設けられ、該鏡体収納部４の後端部には覗き穴５が形成されると共に、該覗き穴５の内側に拡大レンズ６と鏡面を内側に向けて三角形状に配置された三角鏡体７とが設けられ、透明軸部３の軸方向に対して垂直に形成された貫通孔３ａに透明筒体９が装着されると共に、該透明筒体９の内部に充填された透明液体１０に多数の彩色片１１が収容され、さらに透明軸部３の下方内部に半透明材８を介して透明筒体９に向けて照明する発光体１３が設けられたものである。
【００２３】
このような構成について詳細に述べると、図１に示すように、万華鏡１の軸体２の上部に透明軸部３を介して鏡体収容部４が設けられている。この鏡体収納部４の後端部には覗き穴５が形成されると共に、該覗き穴５の内側には拡大レンズ６が設けられ、さらに鏡体収納部４には三角鏡体７が設けられている。
【００２４】
上記の三角鏡体７は、３枚の幅の狭い長尺の板状鏡面を夫々内側に向けて三角形状に配置し、この三角形状を保つように接着材等で固着したものである。このような構成からなる三角鏡体７を鏡体収納部４の内部に収容することによって、鏡体収納部４の上部から覗き穴５、拡大レンズ６、三角鏡体７の順で配設されたことになり、覗き穴５からは、拡大レンズ６を介して三角鏡体７の内部を見ることになる。なお、この三角鏡体７によって、内部の色彩模様は、モザイク模様のように変化する。
【００２５】
また、上記のように万華鏡１の軸体２の上部に設けられた透明軸部３には軸方向に対して垂直に貫通孔３ａが形成され、図２に示すように、この貫通孔３ａに透明筒体９が装着され、透明筒体９を貫通孔３ａ内で回動したり、貫通孔３ａから抜き外したり、交換したりすることが可能とされている。
【００２６】
また、透明軸部３の貫通孔３ａに透明筒体９を挿入した後の固定方法としては、透明筒体９の両側にゴム製のリング部材１２、１２等を嵌合することによって容易に抜け出ない構成とすることができ、この状態で、透明筒体９は貫通孔３ａ内で回動自在となる。
【００２７】
また、透明筒体９は透明合成樹脂等により作製され、その内部に透明液体１０が充填されると共に、その内部に多数の彩色片１１が収容されている。透明液体１０としては、通常の水等を用いてもよいが、ミネラルオイル（鉱油）等のある程度の粘性を有する液体を使用することによって、その液体の内部で移動する彩色片１１の動きがスローテンポとなり、より幻想的で綺麗な彩色模様を見ることが可能となる。
【００２８】
また、透明筒体９に収容した彩色片１１は、微細な合成樹脂片、金属片、色砂、ビーズ、貴石、半貴石、その他の鉱物等、さらにはその他の微細な物質を使用し、その形状としては、三日月形、星形、三角形、四角形、ハート形等、他にも様々な形状を用いることが可能である。
【００２９】
さらに、本発明においては、図１に示す万華鏡１の軸体２の透明軸部３の下方内部に、半透明材８を介して、透明軸部３に向けて照明を行う発光体１３が設けられている。なお、半透明材８は、覗き窓５に目を当てて内部を見たとき、発光体１３からの照明が三角鏡体７と拡大レンズ６とを介して強められた状態で目の中に入って目を傷めないようにしたものであり、発光体１３からの光の強度を緩和するように拡散処理等を施した材料が用いられている。
【００３０】
この発光体１３は、本実施例においては、図１又は図３に示すように、透明軸部３の下部に半透明材８を介して設けられた基盤１４ａに赤色と青色と緑色を呈する３種の発光ダイオード１３ａ、１３ｂ、１３ｃが設けられた構成とされ、夫々の発光ダイオード１３ａ、１３ｂ、１３ｃを制御回路１４によって制御することにより、いずれか１種の発光ダイオードのみ、いずれか２種の発光ダイオードを同時に、３種の発光ダイオードを同時に、さらにはいずれか２種の発光ダイオードを交互に、又は３種の発光ダイオードを交互に発光するようにしている。
【００３１】
また、この上記の回路の電源として小型電池１５を接続し、スイッチ１６によってＯＮ・ＯＦＦするようにしている。このスイッチ１６は、軸体２の透明軸部３の下方、即ち万華鏡１の軸体２の中間軸体１７に設けられた孔部１７ａから外方へ臨むように突出されている。なお、図１において、基盤１４ａの制御回路１４に設けられたバネ１４ｂは、小型電池１５の電極として弾性的に機能する。
【００３２】
さらに、万華鏡１の軸体２の最下部には先部軸体１８が設けられ、中間軸体１７と先部軸体１８とはネジ式構造１９によって着脱自在とされ、中間軸体１７から先部軸体１８を取り外すことによって、それらの内部にボタン型の小型電池１５を複数枚重ねた状態で収容可能とすると共に、これらの小型電池１５の交換を可能としている。
【００３３】
上記の構造により、発光体１３を照明しないときであっても、透明筒体９や透明軸部３を介して、彩色片１１の動きをそのまま外方から見たり、覗き穴５から内部を見て、綺麗に変化する彩色模様を楽しむことが可能となる。
【００３４】
ただし、このように発光体１３を照明しないときは、透明軸部３から自然採光を透明筒体９内に取り入れた状態であり、発光体１３を照明した強制発光により、より綺麗な色彩変化をみることが可能となる。
【００３５】
いずれにしても、鏡体収納部４の後端部の覗き穴５から拡大レンズ６を通して見ると、透明筒体９の内部の彩色片１１が透明液体１０の中でゆっくりと移動するため、非常に変化に富んだ幻想的な色彩模様を見て楽しむことが可能となる。
【００３６】
特に、本発明において、透明筒体９を棒状に長いものとすることによって、この透明筒体９を縦状に立てた状態にすると、透明筒体９の内部の多数の彩色片１１が上方から下方にゆっくりと落下して様々な変化に富んだ彩色模様を呈することとなり、覗き穴５からは、透明軸部３を通過する彩色片１１の彩色変化を見ることが可能となる。
【００３７】
また、上記の構成においては、透明筒体９を透明軸部３の貫通孔３ａの周りに回動することが可能であるため、上記のように覗き穴５から内部を覗き見ながら透明筒体９を回動することによって、より変化に富んだ彩色模様を見ることが可能となる。
【００３８】
なお、透明筒体９の内部に気泡Ａがあれば、この気泡Ａが透明液体１０の内部で面白い動きをすることになる。即ち、透明筒体９を縦状にすると、内部の彩色片１１は粘性のある透明液体１０の中でゆっくりと下方へ沈んでいくが、気泡Ａは上昇するため、この気泡Ａが、下降している彩色片１１の動きを乱し、さらに、このように動きを乱された彩色片１１もまた粘性のある透明液体１０の中でゆっくりと変化しながら移動するというように、複雑な動きを呈することとなる。
【実施例２】
【００３９】
本実施例においては、図４又は図５に示すように、万華鏡１の軸体２の最下部の先部軸体１８の内部に回動機構２１を介してボールペンの軸芯２０を収納してあり、先部軸体１８を回すことによって回動機構２１に取り付けられた軸芯２０を軸方向に沿って上下動することにより、軸芯２０の先端を先部軸体１８の軸芯穴１８ａから突出させたり収容したりするようにしている。ただし、この先部軸体１８に収容した万華鏡１の種別は、上記のようにボールペンの他にシャープペン等を組み込むようにしてもよい。
【００４０】
本実施例の他の構造は、実施例１と同様である。従って、上記の構成により、本発明の万華鏡１の使用者は、万華鏡１の軸体２の先部軸体１８及び中間軸体１７を手で握った状態で筆記を行い、その手でスイッチ１６を押すことによって、上記のように様々に変化する発光ダイオード１３ａ、１３ｂ、１３ｃの強制発光により、透明軸部３を介して透明筒体９の内部の透明液体１０や多数の彩色片１１を照らして外観的に視覚を和ませ、筆記の最中にも、筆記の動きで変化する多数の彩色片１１や気泡Ａの動きを見て楽しむことができる。
【００４１】
また、上記のように、鏡体収納部４の後端部の覗き穴５から拡大レンズ６と三角鏡体７を介して覗き見た際、半透明材８によって目を傷めることがない状態で、モザイク模様のように変化する多数の彩色片１１の動きを照射された状態で見ることとなり、さらには透明筒体９を縦方向に立てたり、回したりすることによって変化する内部の彩色片１１の動きを照明された状態で見ることができ、上記のように照明されていない状態よりも、さらに綺麗で幻想的な視覚を得て楽しむことが可能となる。
【産業上の利用可能性】
【００４２】
本発明の万華鏡は、棒状のような軸体に、透明液体の中で彩色片が移動すると共に、強制発光によって彩色片の動きを照明する構造の万華鏡を組み込んで、本格的な万華鏡として視覚を楽しませることができる構造を有するため、例えば、ボールペン等の筆記具にも適用することができる万華鏡として利用可能である。
【図面の簡単な説明】
【００４３】
【図１】本発明による実施例１の万華鏡の分解斜視図である。
【図２】本発明による実施例１の万華鏡を組み立てた状態の全体斜視図である。
【図３】本発明による実施例１の万華鏡の内部に設けた発光ダイオードに関する回路図である。
【図４】本発明による実施例２の万華鏡の分解斜視図である。
【図５】本発明による実施例２の万華鏡を組み立てた状態の全体斜視図である。
【図６】特許文献１に係る全体透視図である。
【図７】特許文献２に係る図面であり、(ａ)は全体斜視図、(ｂ)は横断面図である。
【符号の説明】
【００４４】
１  万華鏡
２  軸体
３  透明軸部
３ａ  貫通孔
４  鏡体収容部
５  覗き穴
６  拡大レンズ
７  三角鏡体
８  半透明材
９  透明筒体
１０  透明液体
１１  彩色片
１２  リング部材
１３  発光体
１３ａ、１３ｂ、１３ｃ  発光ダイオード
１４  制御回路
１４ａ  基盤
１４ｂ  コイルバネ
１５  小型電池
１６  スイッチ
１７  中間軸体
１７ａ  孔部
１８  先部軸体
１８ａ  軸芯穴
１９  ネジ式構造
２０  軸芯
２１  回動機構
Ａ  気泡
【図１】
0004736600.tif 000002
【図２】
0004736600.tif 000003
【図３】
0004736600.tif 000004
【図４】
0004736600.tif 000005
【図５】
0004736600.tif 000006
【図６】
0004736600.tif 000007
【図７】
0004736600.tif 000008